(57)【要約】【課題】  光走査装置の温度上昇による光ビームの副走査方向の走査位置のズレを簡単な構成で防止する。【解決手段】  光走査装置１０の温度上昇により、装置筐体１２が膨張すると、装置筐体１２の底板１２Ａと側板１２Ｂとの間の歪み、光学部品の熱膨張による取付アライメントの変化によって、感光体２２へ出射された光ビームは副走査方向上方にずれる。本発明では、装置筐体１２の熱膨張による出射方向への伸びによって、副走査方向下方に下る傾斜面３４を半球状突起２４が光ビーム出射方向へ斜行するように構成されているので、副走査方向上方へのビーム位置のズレを副走査方向下方へ補正することができる。このように、本体フレーム３２に形成された傾斜面３４を利用するだけなので、簡単な機構で副走査方向のビーム位置のズレを防止できる。【選択図】  図４
2006201274.tif 000002
【特許請求の範囲】
【請求項１】
画像形成装置に設けられた本体フレームに、複数の支持部で支持される装置筐体と、
前記装置筐体内に配置され、光ビームを照射する光源と、
前記光源から照射された光ビームを入射し、入射した光ビームを感光体へ出射して、主走査方向に光ビームを走査させる回転多面鏡と、
前記回転多面鏡から出射された光ビームを感光体上に結像させる光学素子と、
を備えた光走査装置において、
前記複数の支持部は、前記装置筐体の下部に設けられた１つの第１支持部と、前記装置筐体の下部に前記感光体の被走査面に沿って配列された２つの第２支持部と、で構成され、
前記本体フレームには、前記第１支持部が斜行可能とされ、光ビーム出射方向へ向かって副走査方向に角度をもつ傾斜面が形成され、
前記装置筐体は、前記２つの第２支持部を結ぶ線を回転軸に回転可能とされ、前記第１支持部が前記傾斜面を斜行することにより、温度上昇による光ビームのズレ方向と反対方向に光ビーム出射方向前方側を傾けることを特徴とする光走査装置。
【請求項２】
前記第１支持部は、前記装置筐体の光ビーム出射方向前方側に設けられ、
前記第２支持部は、前記装置筐体の光ビーム出射方向後方側に設けられていることを特徴とする請求項１に記載の光走査装置。
【請求項３】
前記傾斜面の傾斜角度をθ、前記装置筐体の温度上昇を△Ｔ、前記２つの第２支持部を結ぶ線から前記第１支持部までの最短距離をＬ１、前記第１支持部から感光体上被走査面までの最短距離をＬ２、温度上昇による感光体上被走査面でのビーム位置の副走査方向のズレ量をｙ、前記装置筐体の線膨張係数をα、とするとき、θ＝atan（y/（（Ｌ１+Ｌ２）＊α＊△Ｔ））となることを特徴とする請求項２に記載の光走査装置。
【請求項４】
前記第１支持部は、前記装置筐体の光ビーム出射方向後方側に設けられ、
前記第２支持部は、前記装置筐体の光ビーム出射方向前方側に設けられていることを特徴とする請求項１に記載の光走査装置。
【請求項５】
前記傾斜面の傾斜角度をθ、前記装置筐体の温度上昇を△Ｔ、前記２つの第２支持部を結ぶ線から前記第１支持部までの最短距離をＬ１、前記第１支持部から感光体上被走査面までの最短距離をＬ２、温度上昇による感光体上被走査面でのビーム位置の副走査方向のズレ量をｙ、前記装置筐体の線膨張係数をα、とするとき、θ＝atan（y/（（Ｌ２−Ｌ１）＊α＊△Ｔ））となることを特徴とする請求項４に記載の光走査装置。
【請求項６】
前記傾斜面の傾斜角度の変化量を、温度上昇による感光体上被走査面での副走査方向のビーム位置ズレ量に合わせたことを特徴とする請求項１〜５のいずれか１項に記載の光走査装置。
【請求項７】
前記２つの第２支持部は、半球状の突部とされ、
その一方は、前記本体フレームに形成された凹部に係合し、他方は、主走査方向に沿って本体フレームに形成された溝を移動可能とされていることを特徴とする請求項１〜６のいずれか１項に記載の光走査装置。
【請求項８】
複数の光走査装置を備える画像形成装置において、
前記複数の光走査装置のそれぞれに、請求項１〜７に記載の光走査装置のいずれかが適用されていることを特徴とする画像形成装置。
【発明の詳細な説明】
【技術分野】
【０００１】
本発明は、温度上昇による光ビームの走査位置のズレを防止する光走査装置及びその光走査装置が適用される画像形成装置に関する。
【背景技術】
【０００２】
画像形成装置に適用される一般的な光走査装置では、光源から照射された光ビームを回転多面鏡に入射し、入射した光ビームは感光体へ出射され、主走査方向に走査される。感光体へ出射される光ビームは、ｆθレンズによって感光体上に結像される。
【０００３】
この際に、回転多面鏡を駆動させるためのスキャナモータや光源駆動回路等から発生する熱、その他の画像形成装置内で発生する熱により、徐々に画像形成装置内の温度が上昇し、光走査装置の温度も上昇する。
【０００４】
このとき、光走査装置のレンズなどの光学部品や装置筐体が熱膨張することにより、光ビームの走査位置が変動してしまい、画質劣化を生じたり、光ビームが他の構成部品に遮られて感光体に届かないなどの不具合が発生してしまう。
【０００５】
この問題を解決するために、特許文献１では、調整機構を設け、この調整機構の熱膨張により光走査装置を回転させ、光ビームの走査位置変動を防止している。
【０００６】
しかし、この技術では新たに調整機構を設けることによって部品点数が多くなり、また光走査装置が大きくなり、コストも上がってしまうという問題点がある。
【０００７】
また、特許文献２では、光走査装置の筐体の底板と周壁の突き合わせ部分を斜面とし、この斜面を利用して、装置筐体が熱膨張すると起きる周壁の外側への変形及び底板の内側への変形を抑制し、光ビームの走査位置のズレを防止している。
【０００８】
しかし、底板に設けられた穴やリブなどの影響により、装置筐体が局部的に変形して、筐体内の光学部品の取り付け精度を悪化させてしまうという問題点がある。
【０００９】
また、特許文献３では、走査方向の傾き調整を斜面により行っているが、この技術は走査方向の高さ調整が目的であり、温度上昇時の光ビーム副走査位置ズレを防止できない。また、光走査装置を４点で画像形成装置側のフレームで支持しており、光走査装置の筐体が局部的に熱膨張したときには３点支持になってしまい、不安定な姿勢になってしまうという問題点がある。
【特許文献１】特開２０００−２６７０３３号公報
【特許文献２】特開２００１−２２８４２６号公報
【特許文献３】実開昭６１−２０１０１１号公報
【発明の開示】
【発明が解決しようとする課題】
【００１０】
本発明は、上記事実を考慮し、光走査装置の温度上昇による光ビームの副走査方向の走査位置のズレを簡単な構成で防止することを課題とする。
【課題を解決するための手段】
【００１１】
本発明の請求項１に係る発明は、画像形成装置に設けられた本体フレームに、複数の支持部で支持される装置筐体と、前記装置筐体内に配置され、光ビームを照射する光源と、前記光源から照射された光ビームを入射し、入射した光ビームを感光体へ出射して、主走査方向に光ビームを走査させる回転多面鏡と、前記回転多面鏡から出射された光ビームを感光体上に結像させる光学素子と、を備えた光走査装置において、前記複数の支持部は、前記装置筐体の下部に設けられた１つの第１支持部と、前記装置筐体の下部に前記感光体の被走査面に沿って配列された２つの第２支持部と、で構成され、前記本体フレームには、前記第１支持部が斜行可能とされ、光ビーム出射方向へ向かって副走査方向に角度をもつ傾斜面が形成され、前記装置筐体は、前記２つの第２支持部を結ぶ線を回転軸に回転可能とされ、前記第１支持部が前記傾斜面を斜行することにより、温度上昇による光ビームのズレ方向と反対方向に光ビーム出射方向前方側を傾けることを特徴とする。
【００１２】
この光走査装置では、光源から照射された光ビームを回転多面鏡に入射し、入射した光ビームは感光体へ出射され、主走査方向に走査される。また、感光体へ出射された光ビームは、光学素子によって感光体上に結像される。
【００１３】
この光走査装置の装置筐体は、装置筐体の下部に設けられた１つの第１支持部と、装置筐体の下部に感光体の被走査面に沿って配列された２つの第２支持部との３点で、画像形成装置に設けられた本体フレームに支持されている。この本体フレームには、第１支持部が斜行可能とされ、光ビーム出射方向へ向かって副走査方向に角度をもつ傾斜面が形成されている。
【００１４】
また、装置筐体は、２つの第２支持部を結ぶ線を回転軸に回転可能とされ、第１支持部が傾斜面を斜行することにより、温度上昇による光ビームズレ方向と反対方向に光ビーム出射方向前方側を傾ける。
【００１５】
ここで、光走査装置の温度上昇により、装置筐体が膨張すると、装置筐体が変形すると共に、光学素子や回転多面鏡などの光学部品の取り付けアライメントが変化する。このため、感光体へ出射された光ビームは、副走査方向の一方にずれる。
【００１６】
しかし、上記構成では、装置筐体は２つの第２支持部を結ぶ線を回転軸に回転可能であるので、装置筐体の膨張による出射方向への伸びによって、光ビーム出射方向に向かって副走査方向に角度をもつ傾斜面を第１支持部が斜行することになる。第１支持部が傾斜面を斜行すると、装置筐体は、温度上昇による光ビームのズレ方向と反対方向に光ビーム出射方向前方側を傾けるので、副走査方向のビーム位置のズレを補正することができる。このように、本体フレームに形成された傾斜面を利用するだけなので、簡単な機構で副走査方向のビーム位置のズレを防止できる。
【００１７】
また、装置筐体は３点で支持されると共に、２つの第２支持部を結ぶ線を回転軸に回転可能であるので、装置筐体が局部的に変形しても、３点での支持が維持され、装置筐体の姿勢が安定する。
【００１８】
本発明の請求項２に係る発明では、請求項１の構成において、前記第１支持部は、前記装置筐体の光ビーム出射方向前方側に設けられ、前記第２支持部は、前記装置筐体の光ビーム出射方向後方側に設けられていることを特徴とする。
【００１９】
この構成によれば、第２支持部は、装置筐体の光ビーム出射方向後方側に設けられているので、装置筐体は、光ビーム出射方向後方側を回転軸に回転することになる。
【００２０】
そして、装置筐体の光ビーム出射方向前方側に設けられた第１支持部が、光ビーム出射方向へ向かって副走査方向に角度をもつ傾斜面を斜行することにより、装置筐体は、光走査装置の温度上昇による光ビームズレ方向と反対方向に光ビーム出射方向前方側を傾け、副走査方向のビーム位置のズレを補正することができる。
【００２１】
本発明の請求項３に係る発明では、請求項２の構成において、前記傾斜面の傾斜角度をθ、前記装置筐体の温度上昇を△Ｔ、前記２つの第２支持部を結ぶ線から前記第１支持部までの最短距離をＬ１、前記第１支持部から感光体上被走査面までの最短距離をＬ２、温度上昇による感光体上被走査面でのビーム位置の副走査方向のズレ量をｙ、前記装置筐体の線膨張係数をα、とするとき、θ＝atan（y/（（Ｌ１+Ｌ２）＊α＊△Ｔ））となることを特徴とする。
【００２２】
この構成によれば、光走査装置の温度上昇によるビーム位置の副走査方向のズレ量をもとに、傾斜面の傾斜度を決定しているので、確実に副走査方向のビーム位置のズレを防止することができる。
【００２３】
本発明の請求項４に係る発明では、請求項１の構成において、前記第１支持部は、前記装置筐体の光ビーム出射方向後方側に設けられ、前記第２支持部は、前記装置筐体の光ビーム出射方向前方側に設けられていることを特徴とする。
【００２４】
この構成によれば、第２支持部は、装置筐体の光ビーム出射方向前方側に設けられているので、装置筐体は、光ビーム出射方向前方側を回転軸に回転することになる。
【００２５】
そして、装置筐体の光ビーム出射方向後方側に設けられた第１支持部が、光ビーム出射方向へ向かって副走査方向に角度をもつ傾斜面を斜行することにより、装置筐体は、光走査装置の温度上昇による光ビームズレ方向と反対方向に光ビーム出射方向前方側を傾け、副走査方向のビーム位置のズレを補正することができる。
【００２６】
本発明の請求項５に係る発明では、請求項４の構成において、前記傾斜面の傾斜角度をθ、前記装置筐体の温度上昇を△Ｔ、前記２つの第２支持部を結ぶ線から前記第１支持部までの最短距離をＬ１、前記第１支持部から感光体上被走査面までの最短距離をＬ２、温度上昇による感光体上被走査面でのビーム位置の副走査方向のズレ量をｙ、前記装置筐体の線膨張係数をα、とするとき、θ＝atan（y/（（Ｌ２−Ｌ１）＊α＊△Ｔ））となることを特徴とする。
【００２７】
この構成によれば、光走査装置の温度上昇によるビーム位置の副走査方向のズレ量をもとに、傾斜面の傾斜度を決定しているので、確実に副走査方向のビーム位置のズレを防止することができる。
【００２８】
本発明の請求項６に係る発明では、請求項１〜５のいずれか１項の構成において、前記傾斜面の傾斜角度の変化量を、温度上昇による感光体上被走査面での副走査方向のビーム位置ズレ量に合わせたことを特徴とする。
【００２９】
通常、光走査装置の温度上昇量と光ビームのビーム位置ズレ量との関係は一定ではなく、温度領域や筐体の構造、光学部品の配置などの要因により、光走査装置固有の「温度上昇量―ビーム位置ズレ量曲線」を描く。
【００３０】
上記構成では、傾斜面の傾斜角度の変化量を光走査装置の温度上昇による副走査方向のビーム位置ズレ量に合わせることにより、より確実に副走査方向のビーム位置のズレを防止することができる。
【００３１】
本発明の請求項７に係る発明では、請求項１〜６のいずれか１項の構成において、前記２つの第２支持部は、半球状の突部とされ、その一方は、前記本体フレームに形成された凹部に係合し、他方は、主走査方向に沿って本体フレームに形成された溝を移動可能とされていることを特徴とする。
【００３２】
この構成によれば、２つの第２支持部の一方を主走査方向に沿って形成された溝を移動させることで、光走査装置の温度上昇による装置筐体の主走査方向への伸びを逃がすことができ、装置筐体の姿勢が安定する。
【００３３】
本発明の請求項８に係る発明では、複数の光走査装置を備える画像形成装置において、前記複数の光走査装置のそれぞれに、請求項１〜７に記載の光走査装置のいずれかが適用されていることを特徴とする。
【００３４】
画像形成装置内での温度分布不均一である場合は、各光走査装置の光ビームのビーム位置ズレ量がばらつく。上記構成では、複数の光走査装置のそれぞれに、請求項１〜７に記載の光走査装置のいずれかが適用されているので、画像形成装置内で温度分布不均一がある場合や各光走査装置の発熱量が異なっても、光ビームのビーム位置のズレを防止できる。
【発明の効果】
【００３５】
本発明は、上記構成としたので、光走査装置の温度上昇による光ビームの副走査方向の走査位置のズレを簡単な構成で防止できる。
【発明を実施するための最良の形態】
【００３６】
（第１実施形態）
本発明の光走査装置に係る第１実施形態を図１〜図７に基づき説明する。
【００３７】
図１には、画像形成装置の内部に配置される光走査装置の概要が示されている。
【００３８】
光走査装置１０は装置筐体１２を備え、装置筐体１２内には光源１４が配置されており、この光源１４によって、光源１４の同軸上に位置するコリメータレンズ１６に向かって光ビームＢが照射される。
【００３９】
光源１４から照射された光ビームＢは、コリメータレンズ１６により平行光線となって、図示しないスキャナーモータによって高速回転するポリゴンミラー（回転多面鏡）１８へ入射し、入射した光ビームＢは、感光体２２へ偏向走査される。ポリゴンミラー１８から出射された光ビームＢは、ｆθレンズ（光学素子）２０によって走査速度補正が行われ、画像信号に応じた潜像が像担持体である感光体２２上に形成される。
【００４０】
光走査装置１０の装置筐体１２は、図２に示すように、底板１２Ａとその外周部に立設する側板１２Ｂとでボックス状に形成され、底板（下部）１２Ａには、３個の半球状突起（半球状の突部）２４、２６、２８が形成されている。
【００４１】
半球状突起（第１支持部）２４は、装置筐体１２の光ビーム出射方向（図２においてＣ方向）前方側の中央部に設けられている。半球状突起（第２支持部）２６は、装置筐体１２の光ビーム出射方向後方側で横方向（図２においてＤ方向）に張り出したフランジ３０の一方に形成され、半球状突起（第２支持部）２８は、横方向に張り出したフランジ３０の他方の底板１２Ａに形成されている。また、この半球状突起２６及び半球状突起２８は、感光体２２の被走査面に沿って（被走査面に対して平行に）配列されている。
【００４２】
一方、画像形成装置側に設けられる本体フレーム３２には、図３に示すように、傾斜面３４が形成された支持台３６と、半球状の凹部３８が形成された支持台４０と、溝４２が走査方向に沿って形成された支持台４４と、が設けられている。
【００４３】
支持台４４及び支持台４０の近傍には、装置筐体１２を押圧するための板バネ４６がブロック５０にネジ止めされている。
【００４４】
装置筐体１２の半球状突起２４は本体フレーム３２の傾斜面３４に当接して支持され、装置筐体１２の半球状突起２８は本体フレーム３２の凹部３８に係合して支持され、装置筐体１２の半球状突起２６は本体フレーム３２の溝４２に係合して支持される。
【００４５】
図４（Ａ）、（Ｂ）に示すように、装置筐体１２の光ビーム出射方向後方側は、フランジ３０のそれぞれがブロック５０の上部に固定された板バネ４６によって、本体フレーム３２側へ押圧されている。また、光ビーム出射方向前方側で前方に突出した板片４７は、バネ４８で本体フレーム３２に連結され、装置筐体１２の光ビーム出射方向前方側は、バネ４８の弾性力によって本体フレーム３２側へ付勢されている。
【００４６】
これにより、半球状突起２４は傾斜面３４上を浮き上がることなく斜行することが可能となり、半球状突起２６は溝４２を走査方向（図４（Ｂ）においてＤ方向）に移動することが可能であり、半球状突起２８は凹部３８でとどまり、位置が変化しない。
【００４７】
また、半球状突起２６及び半球状突起２８を結ぶ線を回転軸に装置筐体１２が回転可能とされる（図４（Ａ）においてＡ方向に回転可能とされている）。すなわち、出射される光ビームＢが感光体２２の被走査面上を副走査方向（上下方向）に移動することが可能となっている。
【００４８】
また、傾斜面３４は、光ビーム出射方向へ向かって副走査方向下方に下る傾斜面とされ、その傾斜角度θは、図５（Ａ）、（Ｂ）に示すように、装置筐体１２の温度上昇を△Ｔ、半球状突起２６と半球状突起２８を結ぶ線から半球状突起２４までの最短距離をＬ１、半球状突起２４から感光体２２上被走査面までの最短距離をＬ２、光走査装置１０の温度上昇による感光体２２上被走査面でのビーム位置の副走査方向のズレ量をｙ、装置筐体１２の線膨張係数をα、とするとき、θ＝atan（y/（（Ｌ１+Ｌ２）＊α＊△Ｔ））となるように形成されている。
【００４９】
なお、ビーム位置ズレｙは、例えば、装置筐体１２の底板１２Ａの外周部に立設する側板１２Ｂが外側に広がる方向に変形し、それに伴い底板１２Ａも湾曲変形すること（図５（Ａ）の二点鎖線部分は、装置筐体１２の変形後を示す）、及びｆθレンズ２０やポリゴンミラー１８などの光学部品の取り付けアライメントが変化等によるものである。
【００５０】
また、以下のように、傾斜面３４が設けられた支持台３６は、光ビーム出射方向前方側ではなく、光ビーム出射方向後方側に設ける構成も可能である。
【００５１】
すなわち、図６（Ａ）、（Ｂ）に示すように、半球状突起２６及び半球状突起２８は、装置筐体１２の光ビーム出射方向前方側で横方向に張り出したフランジ３０に設けられている。また、半球状突起２４は、装置筐体１２の光ビーム出射方向後方側の中央部に設けられている。
【００５２】
それに対応して、溝４２が走査方向に沿って形成された支持台４４及び半球状の凹部３８が形成された支持台４０は、本体フレーム３２の光ビーム出射方向前方側に設けられ、傾斜面３４が形成された支持台３６は、本体フレーム３２の光ビーム出射方向後方側に設けられている。そして、装置筐体１２の半球状突起２４は、傾斜面３４に当接して支持され、装置筐体１２の半球状突起２８は、凹部３８に係合して支持され、装置筐体１２の半球状突起２６は、溝４２に係合して支持される。
【００５３】
装置筐体１２の光ビーム出射方向前方側は、フランジ３０のそれぞれがブロック５０の上部に固定された板バネ４６によって、本体フレーム３２側へ押圧されている。また、光ビーム出射方向後方側で後方に突出した板片４７は、バネ４８で本体フレーム３２に連結され、装置筐体１２の光ビーム出射方向後方側は、バネ４８の弾性力によって本体フレーム３２側へ付勢されている。
【００５４】
これにより、半球状突起２４は傾斜面３４上を浮き上がることなく斜行することが可能となり、半球状突起２６は溝４２を走査方向（図６（Ｂ）においてＤ方向）に移動することが可能であり、半球状突起２８は凹部３８でとどまり、位置が変化しない。
【００５５】
また、半球状突起２６及び半球状突起２８を結ぶ線を回転軸に装置筐体１２が回転可能とされる（図６（Ａ）においてＡ方向に回転可能とされている）。すなわち、出射される光ビームＢが感光体２２の被走査面上を副走査方向（上下方向）に移動することが可能となっている。
【００５６】
また、傾斜面３４は、光ビーム出射方向へ向かって副走査方向下方に下る傾斜面とされ、その傾斜角度θは、図６（Ａ）に示すように、装置筐体１２の温度上昇を△Ｔ、半球状突起２６と半球状突起２８を結ぶ線から半球状突起２４までの最短距離をＬ１、半球状突起２４から感光体２２上被走査面までの最短距離をＬ２、光走査装置１０の温度上昇による感光体２２上被走査面でのビーム位置の副走査方向のズレ量をｙ、装置筐体１２の線膨張係数をα、とするとき、θ＝atan（y/（（Ｌ２−Ｌ１）＊α＊△Ｔ））となるように形成されている。
【００５７】
次に、上記の第１実施形態の作用について説明する。
【００５８】
光走査装置１０を稼働させると、ポリゴンミラー１８のスキャナモータや光源１４の駆動回路から発生する熱などによって、光走査装置１０の温度が上昇する。
【００５９】
光走査装置１０の温度が上昇すると、装置筐体１２は熱膨張により出射方向へ伸びる。このとき、半球状突起２６及び半球状突起２８を結ぶ線を回転軸に装置筐体１２は回転可能であるので、半球状突起２４が傾斜面３４を光ビーム出射方向前方へ斜行し、傾斜面３４に沿って副走査方向下方に下る。また、光ビーム出射方向後方側に傾斜面３４が形成されている構成では、半球状突起２４が傾斜面３４を光ビーム出射方向後方へ斜行し、傾斜面３４に沿って副走査方向上方に上る。
【００６０】
このため、光走査装置１０の光ビーム出射方向前方側が副走査方向下方に傾き、光走査装置１０の出射端面が副走査方向下方に向けられるので、副走査方向上方へのビーム位置のズレを副走査方向下方へ補正することができる。このように、本体フレーム３２に形成された傾斜面３４を利用するだけなので、簡単な機構で副走査方向のビーム位置のズレを防止できる。
【００６１】
また、装置筐体１２は半球状突起２４、２６、２８の３点で支持されると共に、半球状突起２６及び半球状突起２８を結ぶ線を回転軸に回転可能であるので、装置筐体１２が局部的に変形しても、３点での支持が維持され、装置筐体１２の姿勢が安定する。
【００６２】
さらに、半球状突起２６が溝４２を走査方向に移動することによって、装置筐体の熱膨張による走査方向への伸びも逃がすことができ、装置筐体の姿勢が安定する。
【００６３】
このように、本実施の形態では、装置筐体１２の底板１２Ａと側板１２Ｂとの間の歪み、光学部品の熱膨張による取付アライメントを含めた光走査装置１０全体の温度上昇による光ビーム位置ズレを、ズレの方向とは逆方向に光走査装置１０の装置筐体１２を移動させることで感光体２２上の光ビーム位置ズレを防止している。
【００６４】
なお、上記第１実施形態では、光ビームが上方にずれることを前提に、傾斜面３４を形成したものであり、傾斜面３４を形成する際は、まず、傾斜面３４ではなく水平面上に半球状突起２４をのせて温度特性試験を行い、そのときに、装置ごと特有にずれる光ビームのビーム位置ズレのデータをとる。それに基づき、光ビーム出射方向へ向かって副走査方向に角度をもつ傾斜面３４の傾斜方向を決定し、光ビームのビーム位置ズレを防ぐ。
【００６５】
従って、温度特性試験によって、副走査方向上方ではなく、副走査方向下方にビーム位置のズレを起こすことが確認された装置においては、以下のように構成する。
【００６６】
すなわち、図７（Ａ）に示すように、傾斜面３４が光ビーム出射方向前方に形成されているときは、傾斜面３４を光ビーム出射方向に向かって副走査方向上方に上る傾斜面３４を形成する。
【００６７】
また、図７（Ｂ）に示すように、傾斜面３４が光ビーム出射方向後方に形成されている場合も、傾斜面３４を光ビーム出射方向に向かって副走査方向上方に上る傾斜面３４を形成する。
【００６８】
図７（Ａ）に示すように、光ビーム出射方向後方側に傾斜面３４が形成されている構成では、光走査装置１０の温度が上昇し、装置筐体１２が熱膨張により出射方向へ伸びると、半球状突起２４が傾斜面３４を光ビーム出射方向前方へ斜行し、傾斜面３４に沿って副走査方向上方に上る。
【００６９】
また、図７（Ｂ）に示すように、光ビーム出射方向後方側に傾斜面３４が形成されている構成では、光走査装置１０の温度が上昇し、装置筐体１２が熱膨張により出射方向へ伸びると、半球状突起２４は傾斜面３４を光ビーム出射方向後方へ斜行し、傾斜面３４に沿って副走査方向下方に下る。
【００７０】
このため、光走査装置１０の光ビーム出射方向前方側が副走査方向上方に傾き、光走査装置１０の出射端面が副走査方向上方に向けられるので、副走査方向下方へのビーム位置のズレを副走査方向上方へ補正することができる。
（第２実施形態）
次に、本発明の第２実施形態について図８に基づき説明する。なお、第１実施形態と同一の部分には同一の符号を付して説明を省略し、第１実施形態と異なる部分についてのみ説明する。
【００７１】
上記の第１実施形態では、傾斜面３４の傾斜角度は、θ＝atan（y/（（Ｌ１+Ｌ２）＊α＊△Ｔ））によって得られものであり、一定の角度となる。
【００７２】
すなわち、図８（Ａ）に示すように、温度上昇量と光ビームのビーム位置ズレ量の関係は一定である場合には、図８（Ｄ）に示すように、一定の角度で傾斜する傾斜面３４であっても、光ビームの位置ズレを補正することができる。
【００７３】
しかし、通常、温度上昇量と光ビーム位置ズレ量の関係は一定ではなく、温度領域や装置筐体１２の構造、光学部品の配置などの要因により、例えば図８（Ｂ）、（Ｃ）に示すように、光走査装置固有の「温度上昇量―光ビーム位置ズレ量曲線」を描く。
【００７４】
図８（Ｂ）のように、温度変化に対してズレ量が少ない場合は、図８（Ｅ）に示すように、上方に膨らまして湾曲させた傾斜面５２を形成できる角度変化量とし、図８（Ｃ）に示すように、温度変化に対してズレ量が多い場合は、図８（Ｆ）に示すように、下方に膨らまして湾曲させた傾斜面５４を形成する角度変化量とする。
【００７５】
このように、光走査装置固有の「温度上昇量―光ビーム位置ズレ量曲線」に対応して、傾斜面３４の傾斜度θを温度上昇による副走査方向のビーム位置ズレ量に合わせれば、より精密に副走査方向のビーム位置ズレを防止することができる。
（第３実施形態）
次に、上記の第１実施形態の光走査装置をカラー用画像形成装置に適用した第３実施形態を図９に基づき説明する。
【００７６】
ここでは複数の独立した画像形成部を備え、形成された現像を単一の転写媒体に連続的に転写し、１サイクルでフルカラー画像を形成する、いわゆるタンデム方式の画像形成装置６０に適用する。
【００７７】
本実施形態では、第１実施形態と同様に、Ｙ，Ｍ，Ｃ，Ｋ各色用に４つの光走査装置６１〜６４のそれぞれの底板１２Ａに、３個の半球状突起（半球状の突部）２４、２６、２８を形成し、半球状突起２４は、光ビーム出射方向へ向かって副走査方向に角度をもつ傾斜面３４に当接して支持させ、半球状突起２８は、凹部３８に係合して支持させ、半球状突起２６は、溝４２に係合して支持させた。
【００７８】
タンデム方式の画像形成装置では、Ｙ，Ｍ，Ｃ，Ｋの各色の露光源となる光走査装置６１〜６４から光ビームが独立の光学系を経て感光体７１〜７４に至るため、画像形成装置６０内での温度分布不均一により各色での光ビーム位置ズレ量がばらつき、重ね合わされたカラー画像に色ズレが発生してしまうことが問題になるが、本実施形態では、Ｙ，Ｍ，Ｃ，Ｋ各色用のそれぞれに第１実施形態の光走査装置６１〜６４を適用させているので、カラー用画像形成装置６０内で温度分布不均一がある場合や各色で光走査装置６１〜６４の発熱量が異なっても光ビーム位置がずれないので特に効果的である。
【００７９】
本発明は、上記の実施の形態に限るものではなく、種々の形態が可能である。
【図面の簡単な説明】
【００８０】
【図１】図１は、本発明の第１実施形態に係る光走査装置の概略図である。
【図２】図２は、第１実施形態に係る光走査装置を下方からみた図である。
【図３】図３は、第１実施形態に係る本体フレームを示す図である。
【図４】図４は、第１実施形態に係る光走査装置の平面図である。
【図５】図５は、第１実施形態に係る光走査装置の平面図である。
【図６】図６は、第１実施形態に係る光走査装置の変形例を示す平面図である。
【図７】図７は、第１実施形態に係る光走査装置の変形例を示す平面図である。
【図８】図８は、第２実施形態に係る傾斜面の傾斜度を示す図である。
【図９】図９は、第３実施形態に係る画像形成装置を示す図である。
【符号の説明】
【００８１】
１０  光走査装置
１２  装置筐体
１４  光源
１８  ポリゴンミラー（回転多面鏡）
２０  ｆθレンズ（光学素子）
２４  半球状突起（第１支持部）
２６  半球状突起（第２支持部）
２８  半球状突起（第２支持部）
３２  本体フレーム
３４  傾斜面
３８  凹部
４２  溝
６０  画像形成装置
【図１】
2006201274.tif 000003
【図２】
2006201274.tif 000004
【図３】
2006201274.tif 000005
【図４】
2006201274.tif 000006
【図５】
2006201274.tif 000007
【図６】
2006201274.tif 000008
【図７】
2006201274.tif 000009
【図８】
2006201274.tif 000010
【図９】
2006201274.tif 000011